(57)【要約】【課題】  大容量の記憶手段を設けることなく、トリガ信号が発せられたときの画像をより多く保存すること。【解決手段】  監視カメラ１の撮像部１１は、画像を撮影して画像データを出力可能に構成され、記憶部４０は撮影機能部１０から出力される画像データを記録するものである。制御部３０は残り容量検知部３１としての機能を有しており、記憶部４０の残り記憶容量を検知する。撮影機能部１０において所定フレームレートでの動画撮影が実行されているときに、残り容量検知部３１が、記憶部４０の残り記憶容量が所定値以下になったことを検知すると、制御部３０は、動画記録から静止画記録に記録処理を切り換えるように制御する。【選択図】        図１
2005057609.tif 000002
【特許請求の範囲】
【請求項１】
画像を撮影して画像データを出力可能な撮像手段と、
前記撮像手段によって得られる画像データを記憶する記憶手段と、
前記記憶手段の残り記憶容量を検知する検知手段と、
前記撮像手段によって所定フレームレートでの動画撮影が実行されている場合において、前記検知手段によって前記記憶手段の残り記憶容量が所定値以下になったことが検知されたときに、静止画を前記記憶手段に記憶させる制御手段と、
を備えるカメラ。
【請求項２】
請求項１に記載のカメラにおいて、
前記制御手段は、前記撮像手段によって所定フレームレートでの動画撮影が実行されている場合において、前記検知手段によって前記記憶手段の残り記憶容量が第１の値以下になったことが検知されたときに、動画像のフレームレートを低下させて前記記憶手段に記憶させ、さらに前記記憶手段の残り記憶容量が前記第１の値よりも小さな第２の値以下になったことが検知されたときに、静止画を前記記憶手段に記憶させることを特徴とするカメラ。
【請求項３】
請求項１又は２に記載のカメラにおいて、
前記撮像手段による撮影動作に連動して、音声を取得して音声信号を生成する音声信号生成手段をさらに備え、
前記制御手段は、静止画を前記記憶手段に記憶させるとき、該静止画とともに、該静止画の撮影時に取得された音声信号を前記記憶手段に記憶させることを特徴とするカメラ。
【発明の詳細な説明】
【技術分野】
【０００１】
本発明は、画像を撮影して電子画像を記憶できるカメラに関する。
【背景技術】
【０００２】
従来、侵入者等を検知して動画像を記録する監視カメラにおいて、侵入者等が検知されたことを示すトリガ信号が発せられたときにフレームレートを上げ、トリガ信号が発せられないときにはフレームレートを下げるものが知られている（例えば、特許文献１）。
【０００３】
【特許文献１】特開２００２−２６２２７３号公報
【発明の開示】
【発明が解決しようとする課題】
【０００４】
しかし、従来の監視カメラでは、トリガ信号が頻繁に発せられると、フレームレートの高い動画像の記録処理が頻繁に行われるため、動画像を記憶する記憶手段の記憶容量が比較的早期に満たされてしまうことになる。そのため、その後にトリガ信号が発生しても動画像を記録することができないという問題があった。
【０００５】
特に、最初の数回のトリガ信号が誤検知によるものであり、最後のトリガ信号が侵入者を検知したものである場合、従来の監視カメラでは最後のトリガ信号に基づく侵入者の映像を何ら記憶保存できない事態が生じうる。
【０００６】
この問題を解決するためには、監視カメラの内部にハードディスク装置等の大容量の記憶手段を設けることも考えられるが、監視カメラは一般に小型化が要請されており、大容量の記憶手段を内蔵することは、設計上及びコスト上で難しい状況となっている。
【０００７】
そこで、本発明は、上記課題に鑑みてなされたものであって、大容量の記憶手段を設けることなく、トリガ信号が発せられたときの画像をより多く保存することのできるカメラを提供することを目的とするものである。
【課題を解決するための手段】
【０００８】
上記目的を達成するために、請求項１に記載の発明は、カメラであって、画像を撮影して画像データを出力可能な撮像手段と、前記撮像手段によって得られる画像データを記憶する記憶手段と、前記記憶手段の残り記憶容量を検知する検知手段と、前記撮像手段によって所定フレームレートでの動画撮影が実行されている場合において、前記検知手段によって前記記憶手段の残り記憶容量が所定値以下になったことが検知されたときに、静止画を前記記憶手段に記憶させる制御手段と、を備えて構成されるものである。
【０００９】
請求項２に記載の発明は、請求項１に記載のカメラにおいて、前記制御手段が、前記撮像手段によって所定フレームレートでの動画撮影が実行されている場合において、前記検知手段によって前記記憶手段の残り記憶容量が第１の値以下になったことが検知されたときに、動画像のフレームレートを低下させて前記記憶手段に記憶させ、さらに前記記憶手段の残り記憶容量が前記第１の値よりも小さな第２の値以下になったことが検知されたときに、静止画を前記記憶手段に記憶させることを特徴とするものである。
【００１０】
請求項３に記載の発明は、請求項１又は２に記載のカメラにおいて、前記撮像手段による撮影動作に連動して、音声を取得して音声信号を生成する音声信号生成手段をさらに備え、前記制御手段が、静止画を前記記憶手段に記憶させるとき、該静止画とともに、該静止画の撮影時に取得された音声信号を前記記憶手段に記憶させることを特徴とするものである。
【発明の効果】
【００１１】
請求項１に記載の発明によれば、撮像手段によって所定フレームレートでの動画撮影が実行されている場合において、検知手段によって記憶手段の残り記憶容量が所定値以下になったことが検知されたときに、静止画を記憶手段に記憶させるので、記憶手段の残り記憶容量が比較的早い段階でなくなってしまうことを防止できる。そのため、大容量の記憶手段を設けることなく、トリガ信号が頻繁に発せられたときでも、多くのトリガ信号に対応した画像を保存することができる。
【００１２】
また、請求項２に記載の発明によれば、撮像手段によって所定フレームレートでの動画撮影が実行されている場合において、検知手段によって記憶手段の残り記憶容量が第１の値以下になったことが検知されたときに、動画像のフレームレートを低下させて記憶手段に記憶させ、さらに記憶手段の残り記憶容量が第１の値よりも小さな第２の値以下になったことが検知されたときに、静止画を記憶手段に記憶させるので、記憶手段の残り記憶容量が少なくなる段階に応じて記憶手段に記憶させるデータ量を低減させることができる。したがって、より多くのトリガ信号に対応した画像を保存できる。
【００１３】
さらに、請求項３に記載の発明によれば、静止画を記憶手段に記憶させるとき、静止画とともに、その静止画の撮影時に取得された音声信号を記憶手段に記憶させるので、より多くの情報を保存しておくことができる。
【発明を実施するための最良の形態】
【００１４】
以下、本発明の実施の形態について図面を参照しつつ詳細に説明する。
【００１５】
図１は、本実施形態にかかる監視カメラ１の構成を示す図である。監視カメラ１は、ある監視領域の画像を動画像として常時撮影しておき、それによって得られる動画像に基づいて監視領域内に動体（侵入者等）が検知されたときに、その動体が検知される前後の画像を記録保存するものである。
【００１６】
図１に示すように、監視カメラ１は、監視領域の画像を撮影する撮影機能部１０と、音声信号を取得する音声信号取得部２０と、撮影機能部１０及び音声信号取得部２０を制御する制御部３０と、半導体メモリ等で構成される記憶部４０とを備えて構成される。
【００１７】
撮影機能部１０は、撮像部１１、画像圧縮部１２、リングバッファ１３、フレーム間引き部１４及び動体検知部１９を備えて構成される。
【００１８】
撮像部１１は撮影レンズを介して入射する光像を光電変換して電子的な画像を生成するものであり、連続的に撮影動作を繰り返すことによって、例えば１秒間に３０フレームの動画像撮影を行うものである。撮像部１１において生成される動画像は、画像圧縮部１２及び動体検知部１９のそれぞれに与えられる。
【００１９】
画像圧縮部１２は撮像部１１から入力する画像をフレーム単位で圧縮し、フレーム毎の画像をリングバッファ１３に出力する。リングバッファ１３は、画像圧縮部１２から出力されるフレーム画像を逐次入力し、過去数秒間〜数十秒間程度の動画像を記憶しておくものである。そのため、リングバッファ１３は、あたらしいフレーム画像を入力すると、その時点で最も古いフレーム画像を消去することによって、常に最新の複数フレーム分の動画像を記憶できるようになっている。
【００２０】
動体検知部１９は撮像部１１から順次出力される動画像を逐次入力し、時系列に連続する動画像に基づいて監視領域に動体が存在するか否かを判断する。そして動体が検知された場合には、動体検知を示すトリガ信号を発生させ、そのトリガ信号をリングバッファ１３に与えるようになっている。よって、このトリガ信号は、監視領域への侵入者等を検知したことを示す異常検知信号に相当する。
【００２１】
動体検知部１９において動体検知を行う手法については、多くの公知技術が存在し、それらのうちのいずれを採用しても構わない。一例を挙げると、時系列に入力する２つのフレーム画像間で画素毎の差分値を求めることによって差分画像を生成し、該差分画像において差分値が所定値以上になる画素が、ある閾値よりも多く含まれている場合に、動体が存在すると判断することができる。
【００２２】
リングバッファ１３は、画像圧縮部１２から入力する動画像を所定時間分、一時的に記憶するものであり、動体検知部１９から入力するトリガ信号に応答してトリガ信号入力前後の動画像をフレーム間引き部１４に対して送出する。例えば、トリガ信号が発せられる前にリングバッファ１３に格納されていた過去の画像（数秒〜数十秒の一定時間分）と、トリガ信号が発せられた後に画像圧縮部１２から入力する画像（数秒〜数十秒の一定時間分）とを、後段のフレーム間引き部１４に対して出力する。
【００２３】
フレーム間引き部１４は、制御部３０によって制御されるものであり、制御部３０からの指令に応じてリングバッファ１３から得られる動画像のフレーム間引き処理を実行する。また、フレーム間引き部１４は、制御部３０から間引き指令が与えられていない場合、リングバッファ１３から入力する動画像のフレーム間引きを行わずに、そのまま出力するように構成される。
【００２４】
音声信号取得部２０は、マイク等の音声信号生成部２１と、リングバッファ２２とを備えて構成される。音声信号生成部２１は、撮影機能部１０における動画撮影と連動して監視領域周辺の音声を取得して音声信号とし、リングバッファ２２に音声信号を送出する。リングバッファ２２は音声信号生成部２１から音声信号を逐次入力すると、過去数秒間〜数十秒間程度の音声信号を記憶しておくものである。
【００２５】
制御部３０はマイクロコンピュータ等によって構成され、撮影機能部１０と音声信号取得部２０とを制御するとともに、記憶部４０への画像及び音声信号の記録処理を制御する。
【００２６】
また、制御部３０は残り容量検知部３１としての機能を有しており、記憶部４０において画像の記録可能な領域の残り記憶容量を検知するようになっている。そして制御部３０は記憶部４０の残り記憶容量が所定値よりも少なくなったか否かを判断し、残り記憶容量が所定値よりも少なくなった場合、フレーム間引き部１４を機能させ、フレーム間引き部１４に対して間引き指令を送出する。
【００２７】
このため、フレーム間引き部１４は、記憶部４０の残り記憶容量が所定値よりも多く、十分な記憶容量が残されている場合には、リングバッファ１３から入力する動画像をそのままの状態で記憶部４０に出力する。これに対し、記憶部４０の残り記憶容量が所定値よりも少なくなった場合には、リングバッファ１３から入力する動画像のフレーム間引きを行って、記憶部４０に出力する。
【００２８】
本実施形態では、制御部３０に、例えば記憶部４０の残り記録容量を管理する２つの値ＴＨ１，ＴＨ２（ＴＨ１＞ＴＨ２）が設定されており、記憶部４０の残り記憶容量が第１の値ＴＨ１以下となったときに、フレーム間引き部１４に対して第１段階目のフレーム間引きを行うように指令し、その後さらに記憶部４０の残り記憶容量が第２の値ＴＨ２以下となったときに、フレーム間引き部１４に対して第２段階目のフレーム間引きを行うように指令する。
【００２９】
第１段階目のフレーム間引き処理は、例えば１秒間に３０フレームある動画像から２秒毎に１フレームの画像を抽出して、２秒間隔の静止画像を出力するものである。また、第２段階目のフレーム間引き処理は、例えば１秒間に３０フレームある動画像のうちから、１０秒毎に１フレームの画像を抽出して、第１段階よりも取得間隔の長い、静止画像を出力するものである。故に、フレーム間引き部１４は、制御部３０から上記のような指令を与えられると、その指令内容に応じた時間間隔で静止画を順次出力する。
【００３０】
また、撮影機能部１０の動体検知部１９においてトリガ信号が発せられ、リングバッファ１３が動画像の出力を開始すると、制御部３０は、それに応答して音声信号取得部２０のリングバッファ２２に対しても音声信号の出力指令を送出する。そして撮影機能部１０から出力される画像と、音声信号取得部２０から出力される音声信号とのそれぞれを対応づけて記憶部４０に記憶させる。撮影機能部１０で得られる動画像の各フレーム画像と、音声信号取得部２０で取得される音声信号との同期は、例えば制御部３０から各部に与えられるクロック信号（時刻信号）によって保たれることになる。
【００３１】
以上のように本実施形態の監視カメラ１は、監視領域で侵入者等を検知した場合などの異常発生時に、記憶部４０に異常発生前後の画像を記録するように構成されており、かつ、記憶部４０の残り記憶容量が所定値よりも少なくなった場合には動画記録から静止画記録に切り換えるように構成されている。
【００３２】
次に、上記のような構成の監視カメラ１における具体的な動作について説明する。図２乃至図５は、監視カメラ１において異常が検知された場合に、記憶部４０に記録される画像の記録概念を示す図である。各図においては、異常が検知された場合に、一定の記録時間ＴＲの画像を記憶部４０に記録する場合を例示している。
【００３３】
まず、図２は、動画像を記憶部４０に記録する間、記憶部４０の残り記憶容量が十分にある場合における記録形態を示すものである。時刻Ｔ０に、動体検知部１９によって動体が検知され、トリガ信号が発生したとすると、リングバッファ１３は記録時間ＴＲ分の動画像をフレーム間引き部１４に出力する。制御部３０は、記憶部４０の残り記憶容量を常時監視し続け、画像記録処理の進行に伴って記憶部４０の残り記憶容量が第１の値ＴＨ１及び第２の値ＴＨ２よりも少なくなったかを判断する。一方、フレーム間引き部１４は、制御部３０から間引き指令が与えられるまでは、リングバッファ１３から入力する動画像をそのままの状態で出力する。図２の場合には、撮影機能部１０から動画像が順次出力され、記憶部４０に対する動画像の記録が進行しても、記憶部４０の残り記憶容量は十分に存在することから、記録時間ＴＲに相当する動画像が記憶部４０に記録される。また、動画像には記録時間ＴＲ分の音声信号が対応づけられて、記憶部４０に記録される。
【００３４】
次に、図３は、動画像の記録中に、記憶部４０の残り記憶容量が第１の値ＴＨ１よりも少なくなった場合の記録形態を示すものである。図２の場合と同様に、時刻Ｔ０において、動体検知部１９によって動体が検知され、トリガ信号が発生したとすると、リングバッファ１３は記録時間ＴＲ分の動画像をフレーム間引き部１４に出力する。制御部３０は、記憶部４０の残り記憶容量を常時監視し続け、画像記録処理の進行に伴って、時刻Ｔ１に記憶部４０の残り記憶容量が第１の値ＴＨ１よりも少なくなったことを検知したとする。すると、制御部３０はフレーム間引き部１４に対して時刻Ｔ１に第１段階目の間引き指令を送出し、フレーム間引き部１４はその指令に応答して動画像をそのまま通過させるスルー処理から第１段階目のフレーム間引き処理に切り換える。この結果、記憶部４０には、図３に示すように、記録時間ＴＲ分の画像のうち、時刻Ｔ０からＴ１までの画像として動画像が記録され、時刻Ｔ１以降の画像として２秒間隔で取得された静止画像が記録される。
【００３５】
また、図３の場合、記憶部４０には、時刻Ｔ０からＴ１までの動画像に対して、各フレームに対応した音声信号が対応づけられて記録されるとともに、時刻Ｔ１以降の静止画のそれぞれに対して、所定時間分の音声信号が対応づけられて記録される。このとき、静止画像に対応づけられる音声信号の取得時間を、静止画像の取得間隔に一致させれば、音声信号は連続した状態で記録できる。例えば、静止画像に対して２秒分の音声信号を対応づけるようにすれば、時刻Ｔ１以降の記録画像は２秒間隔で取得された静止画になるが、音声信号は連続した状態で記録できる。
【００３６】
次に、図４は、記憶部４０の残り記憶容量が第１の値ＴＨ１よりも少ないときにトリガ信号が発生した場合であって、その後さらに記憶部４０の残り記憶容量が第２の値ＴＨ２よりも少なくなった場合の記録形態を示すものである。図２及び図３の場合と同様に、時刻Ｔ０において、動体検知部１９によって動体が検知され、トリガ信号が発生したとすると、リングバッファ１３は記録時間ＴＲ分の動画像をフレーム間引き部１４に出力する。このとき制御部３０は既に記憶部４０の残り記憶容量が第１の値ＴＨ１よりも少ないことを検知しているので、フレーム間引き部１４に対して第１段階目の間引き指令を送出する。よって、フレーム間引き部１４はトリガ信号が発せられた時刻Ｔ０の直後から第１段階目のフレーム間引き処理を行い、２秒間隔での静止画出力を行う。よって、トリガ信号に応答して記憶部４０には静止画が順次記録されていく。
【００３７】
そして制御部３０は、記憶部４０の残り記憶容量を常時監視し続け、画像記録処理の進行に伴って、時刻Ｔ２に記憶部４０の残り記憶容量が第２の値ＴＨ２よりも少なくなったことを検知したとする。すると、制御部３０はフレーム間引き部１４に対して時刻Ｔ２に第２段階目の間引き指令を送出し、フレーム間引き部１４はその指令に応答して第１段階目のフレーム間引き処理から第２段階目のフレーム間引き処理に切り換える。
【００３８】
この結果、記憶部４０には、図４に示すように、記録時間ＴＲ分の画像のうち、時刻Ｔ０からＴ２までの画像として２秒間隔の静止画像が記録され、時刻Ｔ２以降の画像として１０秒間隔で取得された静止画像が記録される。
【００３９】
また、図４の場合、記憶部４０には、静止画のそれぞれに対して、所定時間分の音声信号が対応づけられて記録される。そして上述したように、静止画像に対応づけられる音声信号の取得時間を、静止画像の取得間隔に一致させれば、音声信号は連続した状態で記録できる。
【００４０】
次に、図５は、動画像の記録中に、記憶部４０の残り記憶容量が第１の値ＴＨ１よりも少なくなり、さらにその後、第２の値ＴＨ２よりも少なくなった場合の記録形態を示すものである。図２乃至図４の場合と同様に、時刻Ｔ０において、動体検知部１９によって動体が検知され、トリガ信号が発生したとすると、リングバッファ１３は記録時間ＴＲ分の動画像をフレーム間引き部１４に出力する。制御部３０は、記憶部４０の残り記憶容量を常時監視し続け、画像記録処理の進行に伴って、時刻Ｔ３に記憶部４０の残り記憶容量が第１の値ＴＨ１よりも少なくなったことを検知したとする。すると、制御部３０はフレーム間引き部１４に対して時刻Ｔ１に第１段階目の間引き指令を送出し、フレーム間引き部１４はその指令に応答して動画像をそのまま通過させるスルー処理から第１段階目のフレーム間引き処理に切り換える。その後、制御部３０は時刻Ｔ４に記憶部４０の残り記憶容量が第２の値ＴＨ２よりも少なくなったことを検知したとすると、制御部３０はフレーム間引き部１４に対して時刻Ｔ４に第２段階目の間引き指令を送出する。その指令に応答して、フレーム間引き部１４は第１段階目のフレーム間引き処理から第２段階目のフレーム間引き処理に切り換える。この結果、記憶部４０には、図５に示すように、記録時間ＴＲ分の画像のうち、時刻Ｔ０からＴ３までの画像として動画像が記録され、時刻Ｔ３からＴ４までの画像として２秒間隔で取得された静止画像が記録される。そしてさらに、時刻Ｔ４以降の画像として１０秒間隔で取得された静止画像が記録される。
【００４１】
また、図５の場合、記憶部４０には、時刻Ｔ０からＴ３までの動画像に対して、各フレームに対応した音声信号が対応づけられて記録されるとともに、時刻Ｔ３以降の静止画のそれぞれに対して、所定時間分の音声信号が対応づけられて記録される。静止画像に対応づけられる音声信号の取得時間を、静止画像の取得間隔に一致させれば、音声信号は連続した状態で記録できる。
【００４２】
なお、記憶部４０に動画像が記録される場合のファイル形式は例えばＭＰＥＧやモーションＪＰＥＧ等の動画フォーマットに対応したファイル形式であり、動画像に音声信号が対応づけられる場合には、動画像のデータファイルに音声信号が含まれる形式となる。また、記憶部４０に静止画像が記録される場合のファイル形式は例えばＪＰＥＧ等の静止画フォーマットに対応したファイル形式である。
【００４３】
以上のように、本実施形態の監視カメラ１は、撮影機能部１０において所定フレームレートでの動画撮影が行われており、トリガ信号に応答して、トリガ信号の前後に取得された画像を記録する際、記憶部４０の残り記憶容量が所定値以下になったことが検知されると、動画記録から静止画記録に切り換えて、静止画を記憶部４０に記憶するように構成される。そのため、記憶部４０の残り記憶容量が少なくなってきたときには、トリガ信号に応答して記録すべき画像を静止画として記録でき、記憶部４０の記憶容量が早期に満たされてしまうことを防止できる。よって、トリガ信号が頻繁に発せられたときでも、それぞれのトリガ信号に対応した画像をより多く記録できる。換言すれば、トリガ信号に応答した画像が記憶部４０に記録されなくなる可能性を低減できる。
【００４４】
また、制御部３０は、記憶部４０の残り記憶容量を段階的に検知して各段階に応じて静止画像の取得間隔を変化させることにより、トリガ信号に応答して画像の記録保存を行う際、記憶部４０の残り記憶容量に応じた記録処理が実現される。具体的には、記憶部４０の残り記憶容量が第１の値ＴＨ１以下になったことが検知されたときに、動画像のフレームレートを低下させることによって得られる個々のフレーム画像を静止画として記憶部４０に記憶させ、さらに記憶部４０の残り記憶容量が第１の値ＴＨ１よりも小さな第２の値ＴＨ２以下になったことが検知されたときに、さらにフレームレートを低下させて得られる個々のフレーム画像を静止画として記憶部４０に記憶させる。このような処理により、残り記憶容量の減少に従って静止画の取得間隔が長くなり、記憶部４０の残り記憶容量を有効に活用できる。
【００４５】
また、制御部３０は、画像とともに、その画像に同期して取得された音声信号を対応づけて記憶部４０に記憶させる。特に、静止画を記憶部４０に記憶させるときには、静止画とともに、その静止画の撮影時に取得された所定時間分の音声信号を記憶部４０に記憶させるようになっている。一般に静止画だけでは監視領域の瞬間的な状態しか確認できないが、静止画に所定時間分の音声信号が対応づけられることにより、音声によって監視領域の状態を所定時間分確認できるという利点がある。
【００４６】
次に、図６は、図１とは異なる構成の監視カメラ１ａを示す図である。図６の監視カメラ１ａが図１の監視カメラ１と異なる点は、監視領域における侵入者等を検知するための検知センサ１００が監視カメラとは別に設けられる点である。
【００４７】
検知センサ１００は、ドアセンサ、マットセンサ、赤外線センサ等によって構成され、侵入者等を検知するとトリガ信号を発生させて監視カメラ１ａのリングバッファ１３に送出するようになっている。
【００４８】
そして監視カメラ１ａは検知センサ１００から入力するトリガ信号に応答して画像の記録処理を開始する。そして、記憶部４０の残り記憶容量に応じて動画像記録から静止画記録に記録処理の内容を切り換える。
【００４９】
このような構成でも上述した内容と同様の作用効果を奏することができる。また、検知センサ１００は監視カメラ１ａの内部機能として設けられるものであってもよい。
【００５０】
次に、図７もまた、図１とは異なる構成の監視カメラ１ｂを示す図である。図７の監視カメラ１ｂが図１の監視カメラ１と異なる点は、監視領域における侵入者等を検知するための音声検知ユニット２００が監視カメラとは別に設けられる点である。
【００５１】
音声検知ユニット２００は、マイク２１０と音圧判定部２２０とトリガ信号発生部２３０とを備え、マイク２１０によって感知された音声が電気信号に変換され、音圧判定部２２０がその音圧レベルが所定レベルよりも高いか否かを判定する。そして入力音声の音圧レベルが所定レベルよりも高いと判定されると、音圧判定部２２０はトリガ信号発生部２３０に対してその旨を伝達し、トリガ信号発生部２３０は監視カメラ１ｂのリングバッファ１３に与えるトリガ信号を発生させる。
【００５２】
そして監視カメラ１ｂは音声検知ユニット２００から入力するトリガ信号に応答して画像の記録処理を開始する。そして、記憶部４０の残り記憶容量に応じて動画像記録から静止画記録に記録処理の内容を切り換える。
【００５３】
このような構成でも上述した内容と同様の作用効果を奏することができる。また、音声検知ユニット２００は監視カメラ１ｂの内部機能として設けられるものであってもよい。
【００５４】
以上、本発明の実施の形態について説明したが、本発明は上記説明した内容のものに限定されるものではない。
【００５５】
例えば、上述した実施形態では、監視カメラ１，１ａ，１ｂを一例に挙げて説明したが、監視カメラ以外のカメラであっても、上記の技術を適用することができる。すなわち、動画像を撮影可能なカメラであって、撮影動作によって得られる動画像を一定の記憶容量を有する記憶部に対して記録保存するものであれば、本実施形態の技術内容を適用して上述した作用効果を得ることができる。
【００５６】
また、上述した実施形態では、音声信号取得部２０によって撮影動作と同期した音声信号の取得が行われる場合を例示したが、音声を記録保存する必要がないものに対しては、特に音声信号取得部２０を設ける必要はない。
【００５７】
また、上述した実施形態では、トリガ信号が発せられたときに、トリガ信号の発生前後の画像を記憶部４０に記録する場合を例示したが、トリガ信号の発生後の画像のみを記録するだけであれば、特にリングバッファ１３を設ける必要はない。また、その場合において、図６のように検知センサ１００によって異常を検知する場合には、撮影機能部１０が常時動画像撮影を行う必要もなく、トリガ信号が発生してから撮影動作を開始するものであっても構わない。
【００５８】
また、上述した実施形態では、制御部３０がフレーム間引き部１４を制御することによって動画記録から静止画記録に記録処理を切り換える場合を例示したが、これに限定されるものでもない。例えば、撮像部１１の撮影動作を動画撮影モードから静止画撮影モードに切り換えることによって、撮影機能部１０から出力される画像を動画像から静止画像に切り換えるものであっても構わない。
【図面の簡単な説明】
【００５９】
【図１】監視カメラの構成を示す図である。
【図２】監視カメラにおいて異常が検知された場合の画像記録概念の一例を示す図である。
【図３】監視カメラにおいて異常が検知された場合の画像記録概念の一例を示す図である。
【図４】監視カメラにおいて異常が検知された場合の画像記録概念の一例を示す図である。
【図５】監視カメラにおいて異常が検知された場合の画像記録概念の一例を示す図である。
【図６】図１とは異なる構成の監視カメラを示す図である。
【図７】図１及び図６とは異なる構成の監視カメラを示す図である。
【符号の説明】
【００６０】
１，１ａ，１ｂ  監視カメラ
１０  撮影機能部
１１  撮像部（撮像手段）
１２  画像圧縮部
１３，２２  リングバッファ
１４  フレーム間引き部
２０  音声信号取得部
２１  音声信号生成部（音声信号生成手段）
３０  制御部（制御手段）
３１  残り容量検知部（検知手段）
４０  記憶部（記憶手段）
【図１】
2005057609.tif 000003
【図２】
2005057609.tif 000004
【図３】
2005057609.tif 000005
【図４】
2005057609.tif 000006
【図５】
2005057609.tif 000007
【図６】
2005057609.tif 000008
【図７】
2005057609.tif 000009